(57)【要約】      （修正有）【課題】不具合の復旧等のために再起動する状態となった場合、使用者に意識させずに自動で再起動を実行可能に画面表示を制御できる電子機器および表示制御方法を提供する。【解決手段】電子機器は、表示ユニットを含む複数の機能ユニットを備え、表示ユニットは表示ユニットのパネルに画面を表示させて画面表示を維持し、表示ユニット以外の機能ユニットはパネルに関する機能以外の機能を実行し、電子機器は、複数の機能ユニットに起動を指示する起動処理と、操作の発生に応じて複数の機能ユニットに動作を指示する定常処理とを実行する中央処理部と、定常処理中に再起動する状態を検出する検出部とを有し、検出部の検出結果に応じて、中央処理部は表示ユニット以外の機能ユニットに起動を指示する再起動処理を実行し、表示ユニットは再起動処理後の定常処理で中央処理部から動作の指示を受けるまでパネルの画面表示を維持する。【選択図】図３
2011039438.tif 000002
【特許請求の範囲】
【請求項１】
表示ユニットを含む複数の機能ユニットを備えた電子機器であって、
前記表示ユニットは該表示ユニットのパネルに画面を表示させて該画面表示を維持し、
前記表示ユニット以外の機能ユニットは前記パネルに関する機能以外の機能を実行し、
前記複数の機能ユニットに起動を指示する起動処理と、操作の発生に応じて前記複数の機能ユニットに動作を指示する定常処理とを実行する中央処理部と、
前記定常処理中に再起動する状態を検出する検出部と、を有し、
前記検出部の検出結果に応じて、前記中央処理部は、前記表示ユニット以外の機能ユニットに起動を指示する再起動処理を実行し、前記表示ユニットは、前記再起動処理後の前記定常処理で前記中央処理部から動作の指示を受けるまで、前記パネルの画面表示を維持する、ことを特徴とする表示装置。
【請求項２】
前記表示ユニットは、画面を記憶するフレームメモリを有し、該フレームメモリに記憶された画面を前記パネルに逐次表示させて画面表示を維持する、請求項１に記載の電子機器。
【請求項３】
表示ユニットを含む複数の機能ユニットを備えた電子機器において、該表示ユニットのパネルに画面を表示させる表示制御方法であって、
前記表示ユニットにより前記パネルに画面を表示して該画面表示を維持し、
前記表示ユニット以外の機能ユニットにより前記パネルに関する機能以外の機能を実行し、
前記複数の機能ユニットに起動を指示する起動処理と、操作の発生に応じて前記複数の機能ユニットに動作を指示する定常処理とを実行し、
前記定常処理中に再起動する状態を検出し、
前記検出部の検出結果に応じて、前記表示ユニット以外の機能ユニットに起動を指示する再起動処理を実行し、前記再起動処理後の前記定常処理で前記表示ユニットに動作を指示するまで、前記パネルの画面表示を維持する、ことを特徴とする表示制御方法。
【発明の詳細な説明】
【技術分野】
【０００１】
本発明は、電子機器において表示ユニットのパネルの画面表示を制御する技術に関する。
【背景技術】
【０００２】
従来、例えばシステムで不具合が発生した場合、不具合に関する情報を携帯端末装置等の画面上に表示させ、使用者に報知するシステムが知られている（例えば、特許文献１を参照）。一方、携帯電話器等に不具合が発生した場合、例えばスタックの堆積データの増大等のように、再起動により簡易に解消可能である場合が考えられる。このような場合、使用者に不具合の発生を報知して、使用者に再起動の操作を遂行させたり、不要な不快感・不安感を与えたりするより、使用者に意識させずに自動で再起動を実行して復旧させる方が望ましい。
【０００３】
このとき、例えば電源ＯＮ時の起動処理では、一般に、画面に何も表示されない状態（黒画状態）から、初期化設定後に画面表示が実行される。このため、再起動処理で同様の起動処理を行うと、画面表示が突然停止されて黒画状態に移行し、初期化設定に要する時間経過後に、待受画面等が画面表示される。このとき、使用者は、不具合の復旧のために自動で再起動が実行されたことを把握できないので、単に不具合が発生したと考えて不快感・不安感を感じることとなる。
【０００４】
これに対して、再起動処理時に、まず記憶された再起動時表示画面を読み出して表示してから、再起動処理を続行して復旧させる装置が提案されている（例えば、特許文献２を参照）。再起動時表示画面としては、予め記憶されているメニュー画面等や、再起動の前処理として再起動判断時に表示されている操作画面を外部メモリに記憶し、この記憶した操作画面が用いられる。
【先行技術文献】
【特許文献】
【０００５】
【特許文献１】特開２０００−８９８２３号公報
【特許文献２】特開２００１−１４００６号公報
【発明の概要】
【発明が解決しようとする課題】
【０００６】
しかし、再起動処理時に、予め記憶されたメニュー画面等を再起動時表示画面として表示する場合、操作画面から突然異なる画面に切り替わって、使用者は不具合が発生したと考えて不快感・不安感を感じるおそれがある。また、再起動処理時に、再起動の前処理で外部メモリに記憶した操作画面を再起動時表示画面として表示する場合、不具合の発生時には記憶動作が適切に実行されず操作画面が外部メモリに記憶されないことが考えられる。そして、この場合、再起動処理時の画面表示が適切なものとならず、使用者は不具合が発生したと考えて不快感・不安感を感じるおそれがある。
【０００７】
上記事情に鑑み、例えば不具合の復旧等により再起動する状態となった場合、使用者に意識させずに自動で再起動を実行可能に画面表示を制御できる電子機器および表示制御方法を提供することを目的とする。
【課題を解決するための手段】
【０００８】
上記課題を解決するために、表示ユニットを含む複数の機能ユニットを備えた電子機器であって、前記表示ユニットは該表示ユニットのパネルに画面を表示させて該画面表示を維持し、前記表示ユニット以外の機能ユニットは前記パネルに関する機能以外の機能を実行し、前記複数の機能ユニットに起動を指示する起動処理と、操作の発生に応じて前記複数の機能ユニットに動作を指示する定常処理とを実行する中央処理部と、前記定常処理中に再起動する状態を検出する検出部と、を有し、前記検出部の検出結果に応じて、前記中央処理部は、前記表示ユニット以外の機能ユニットに起動を指示する再起動処理を実行し、前記表示ユニットは、前記再起動処理後の前記定常処理で前記中央処理部から動作の指示を受けるまで、前記パネルの画面表示を維持する電子機器、および該電子機器に適用される表示制御方法を提供する。
【発明の効果】
【０００９】
開示の電子機器および表示制御方法によれば、不具合の復旧等のために再起動する状態となった場合、使用者に意識させずに自動で再起動を実行可能に、表示ユニットのパネルの画面表示を制御することができる。
【図面の簡単な説明】
【００１０】
【図１】開示の実施形態の携帯電話機の外観図。
【図２】図１の携帯電話機の構成を示す機能ブロック図。
【図３】図２の携帯電話機の動作を示すフローチャート。
【図４】図２の携帯電話機の画面表示例。
【発明を実施するための形態】
【００１１】
開示の電子機器および表示制御方法の実施形態について、図１〜図４を参照して説明する。開示の電子機器の一実施形態である携帯電話機１は、搭載されたパネルによる表示機能や、外部のセンターとの無線通信による通話機能やメール送受信機能や、搭載されたカメラによる撮像機能等を備えている。
【００１２】
図１は、携帯電話機１の外観図を示す。図１に示すように、携帯電話機１には、パネル３、キーパッド４、カメラ９、アンテナ１０、受話口７、及び送話口５が配置され、受話口７の内側にはスピーカ８が配置され、送話口５の内側にはマイク６が配置されている。
【００１３】
パネル３は、例えば液晶パネルを含み、情報の提示、情報選択のためのカーソル表示等に用いられる。キーパッド４は、電源のＯＮ・ＯＦＦを操作するための電源キー等の、操作入力用の複数のキースイッチを含み、使用者による操作の指示入力やデータの入力等に用いられる。
【００１４】
図２に、携帯電話機１の機能ブロック図を示す。この携帯電話機１は、中央処理部１１、メモリ１２、電源１３および複数の機能ユニット１４〜１９を備えている。機能ユニット１４〜１９は、パネル３に関する機能を実行する表示ユニット１４と、パネル３に関する機能以外の機能を実行する機能ユニット（無線ユニット１５、操作ユニット１６、音響ユニット１７、画像入力ユニット１８、および他機能ユニット１９）とを含む。
【００１５】
メモリ１２は、送受信したメールデータや、通話の着信・発信の履歴データや、撮像した画像データや、電話番号やメールアドレス等の登録データや、携帯電話機１の表示機能等の各種機能に用いられる設定データを記憶する。設定データには、例えばパネル３に表示する画面を作成する際の表示パラメータが含まれている。また、メモリ１２は、携帯電話機１の各種機能を実現するためのプログラムを格納する。メモリ１２に格納されたプログラムを中央処理部１１で実行することにより携帯電話機１の各種機能が実現される。
【００１６】
中央処理部１１は、メモリ１２に記憶されたデータやプログラムを用いて、表示ユニット１４および機能ユニット１５〜１９に動作を指示することにより、表示機能等の各種機能のための各種の情報処理を実行する。
【００１７】
例えば、中央処理部１１は、データのメモリ１２への書き込みや読み出しを実行する。また、中央処理部１１は、キーパッド４のキースイッチが押圧操作されると、操作ユニット１６を介して操作入力信号を受け、対応する処理を表示ユニット１４および機能ユニット１５〜１９により実行する。また、中央処理部１１は、キーパッド４のキースイッチが押圧操作されて操作ユニット１６を介してデータが入力されると、データ入力を受け付け、入力データをメモリ１２へ記憶させる。また、中央処理部１１は、無線ユニット１５から入力される無線信号を信号処理して、音声やデータを取得する処理や、音声やデータを無線ユニット１５から送信させる処理を実行する。
【００１８】
また、中央処理部１１は、表示制御処理として、メモリ１２に格納されたデータを用いて、パネル３に表示する画面を作成し、作成された画面の表示処理を表示ユニット１４に指示する。
【００１９】
また、中央処理部１１は、表示ユニット１４および機能ユニット１５〜１９に起動（例えば、初期化設定および初期動作）を指示する起動処理を実行する。また、中央処理部１１は、操作発生に応じて表示ユニット１４および機能ユニット１５〜１９に動作を指示する定常処理を実行する。
【００２０】
さらに、中央処理部１１は、定常処理中に再起動する状態を検出する検出部３１を含む。そして、検出部３１の検出結果に応じて、中央処理部１１は、表示ユニット１４以外の機能ユニット１５〜１９に初期化設定および初期動作を指示する再起動処理を実行する。
【００２１】
電源１３は、電池と、電池から電源電圧を生成する電源回路を制御して携帯電話機１の回路各部に電源電圧を供給する回路とを含む。電源１３は、中央処理部１１から電源ＯＮ処理を指示されると、回路各部に電源電圧を供給し、中央処理部１１から電源ＯＦＦ処理を指示されると、携帯電話機１の全ての回路の電源電圧供給を停止する。
【００２２】
表示ユニット１４は、パネル３に画面を表示させると共に、該画面表示を維持する機能を有する。詳細には、表示ユニット１４は、中央処理部１１とのインタフェース回路である制御ＩＦ（インタフェース）２１と、フレームメモリ２２と、フレームメモリ２２とパネル３とのインタフェース回路であるパネルＩＦ（インタフェース）２３と、パネル３とを含む。フレームメモリ２２は、制御ＩＦ２１を介して入力される画面を記憶する。そして、パネル３は、フレームメモリ２２に記憶された画面を、パネルＩＦ２３を介して逐次表示することで画面表示を維持する。
【００２３】
無線ユニット１５は、アンテナ１０と、アンテナ１０を介して無線基地局との間で無線信号の送受信を行う回路とを含む。
【００２４】
操作ユニット１６は、キーパッド４と、キーパッド４のキースイッチのＯＮ・ＯＦＦ情報を受け取って、操作されたキースイッチのキー情報を中央処理部１１に入力するインタフェース回路とを含む。
【００２５】
音響ユニット１７は、マイク６、スピーカ８、およびマイク６やスピーカ８のインタフェース回路を含む。音響ユニット１７は、通話時に、マイク６を介して入力される音声データを取得して中央処理部１１へ出力する処理や、中央処理部１１から指示されるデータを音声としてスピーカ８を介して出力する処理を実行する。
【００２６】
画像入力ユニット１８は、カメラ９と、カメラ９のシャッター、ズーム、フラッシュ等の設定・制御を行い、カメラ９からの撮像信号を画像データとして中央処理部１１に入力するインタフェース回路とを含む。
【００２７】
他機能ユニット１９は、上記の他に携帯電話機１に搭載される機能を実行する機能ユニットである。他機能ユニットとしては、例えば、携帯電話機１を振動させるモータや、生体認証用のセンサや、赤外線通信用の回路等を動作させる機能ユニットが挙げられる。
【００２８】
次に、本実施形態の携帯電話機１の動作（起動処理、定常処理、再起動処理）について、図３および図４を参照して説明する。図４は、携帯電話機１の起動処理、定常処理、再起動処理における画面表示例である。
【００２９】
まず、電源ＯＮ時の起動処理について説明する。電源ＯＦＦ状態で、キーパッド４の電源キーが押圧操作されると、操作ユニット１６を介して電源ＯＮ信号が入力されると共に、中央処理部１１および電源１３が通電される。中央処理部１１は、電源ＯＮ信号を受けて、電源１３に電源ＯＮ処理を指示する。電源１３は、中央処理部１１からの指示を受けて電源ＯＮ処理を実行し、表示ユニット１４および機能ユニット１５〜１９に電源電圧を供給する。電源ＯＮになったときは、携帯電話機１の回路各部では内部リセット信号が自動的に継続しており、所定時間経過後、内部リセット信号が解除され、制御受付可能な状態となる。このとき、パネル３の表示は黒画状態である（図４（ａ））。
【００３０】
次に、中央処理部１１は、表示制御系および非表示制御系の起動処理を実行する。表示制御系の起動処理として、中央処理部１１は、表示ユニット１４に対して初期化設定を指示する（ＳＴＥＰ１）。具体的には、中央処理部１１は、メモリ１２から表示ユニット１４の初期設定パラメータを読み出し、この初期設定パラメータを表示ユニット１４に通知して設定を指示する。このとき、パネル３の表示は黒画状態である（図４（ａ））。
【００３１】
さらに、中央処理部１１は、表示ユニット１４に対して初期動作（初期表示処理）を指示する（ＳＴＥＰ２）。具体的には、初期表示処理として、まず、中央処理部１１は、メモリ１２から起動画面を読み出して、この起動画面の表示処理を表示ユニット１４に指示する。起動画面はフレームメモリ２２に記憶され、パネル３はこの起動画面を画面表示し続ける（図４（ｂ））。この起動画面の表示により、携帯電話機１の起動を使用者に報知する。さらに、中央処理部１１は、非表示制御系の起動処理（後述のＳＴＥＰ３，４）が完了すると、メモリ１２から待受画面を読み出して、この待受画面の表示処理を表示ユニット１４に指示する。起動画面の代わりに待受画面がフレームメモリ２２に記憶され、パネル３はこの待受画面を画面表示し続ける（図４（ｃ））。これにより、起動処理が完了するまでは、起動画面がパネル３に表示され、起動処理が完了すると、待受画面がパネル３に表示される。
【００３２】
ＳＴＥＰ１，２と平行して、中央処理部１１は、非表示制御系の起動処理を実行する。具体的には、中央処理部１は、メモリ１２から各種の初期設定パラメータを読み出し、機能ユニット１５〜１９に通知して初期化設定を指示する（ＳＴＥＰ３）。さらに、中央処理部１１は、機能ユニット１５〜１９に対して初期動作（初期機能処理）を指示する（ＳＴＥＰ４）。初期機能処理として、例えば、中央処理部１１は、音響ユニット１６を介して起動音をスピーカ８から出力して、携帯電話機１の起動を使用者に報知する。
【００３３】
以上で、起動処理が終了し、定常処理に移行する。移行時にパネル３は待受画面を表示している（図４（ｃ））。
【００３４】
定常処理では、中央処理部１１は、操作が発生したか否かを判断する（ＳＴＥＰ５）。中央処理部１１は、例えば、使用者によりキーパッド４のキースイッチが操作されて、操作ユニット１６を介して操作入力信号が入力されると、対応する操作が発生したと判断する。操作が発生しないと判断される場合（ＳＴＥＰ５の判断結果がＮＯ）、ＳＴＥＰ５を所定周期で繰り返し、操作の発生を待機する。このとき、パネル３は待受画面を表示し続けている（図４（ｃ））。
【００３５】
操作が発生したと判断された場合（ＳＴＥＰ５の判断結果がＹＥＳ）、中央処理部１１は、発生した操作に関係する機能ユニット１４〜１９を特定し、必要なデータをメモリ１２から読み出して特定した機能ユニット１４〜１９に動作を指示する。
【００３６】
具体的には、発生した操作がパネル３に関係する場合、中央処理部１１は、メモリ１２から読み出したデータを用いて表示させる画面を作成し、作成した画面を表示ユニット１４に通知して各種表示処理を指示する（ＳＴＥＰ６）。通知された画面は既に記憶されていた画面の代わりにフレームメモリ２２に記憶され、パネル３はこの画面を画面表示し続ける。例えば、メニューを選択する操作が発生した場合、中央処理部１１はメニュー画面を作成して通知し、パネル３はメニュー画面を表示する（図４（ｄ））。
【００３７】
これと共に、発生した操作が機能ユニット１５〜１９に関係する場合、中央処理部１１は、関係する機能ユニット１５〜１９に読み出したデータを通知して動作を指示する。機能ユニット１５〜１９は、指示を受けて各種機能処理を実行する（ＳＴＥＰ７）。
【００３８】
次に、検出部３１は、携帯電話機１の内部動作を監視して、不具合等が発生しているか否か（再起動するか否か）を判断する（ＳＴＥＰ８）。このとき、例えば、ＳＴＥＰ６でメニュー画面を表示した場合、パネル３はメニュー画面を画面表示し続ける（図４（ｄ））。
【００３９】
再起動しないと判断した場合（ＳＴＥＰ８の判断結果がＮＯ）、ＳＴＥＰ５に戻り、ＳＴＥＰ５〜８の定常処理が繰り返される。この場合、ＳＴＥＰ６に進んで表示処理が指示されるまでは、パネル３では、前回のＳＴＥＰ６で表示された、フレームメモリ２２に記憶された画面の表示が維持される。また、ＳＴＥＰ６に進み、新たな画面が表示ユニット１４に通知されて表示処理が指示されると、フレームメモリ２２に記憶されていた画面が更新され、新たな画面が表示される。
【００４０】
再起動すると判断した場合（ＳＴＥＰ８の判断結果がＹＥＳ）、再起動処理に移行される。すなわち、ＳＴＥＰ３に戻り、中央処理部１１は、ＳＴＥＰ３，４の非表示制御系の起動処理のみを実行する再起動処理を実行する。そして、ＳＴＥＰ５に進み、定常処理に移行する。このとき、パネル３の表示は、前回のＳＴＥＰ６で表示された、フレームメモリ２２に記憶された画面の表示が維持される。例えば、ＳＴＥＰ６でメニュー画面を表示して、ＳＴＥＰ８で再起動すると判断された場合、再起動処理後の定常処理でも、パネル３はメニュー画面を画面表示し続ける（図４（ｄ））。このように、再起動時に表示画面が維持されるので、使用者に意識させることなく再起動処理を実行できる。このとき、本実施形態では、パネル３は常時、フレームメモリ２２に記憶された画面の画面表示を維持するので、再起動処理に移行する際に特別な処理を実行することなく、画面表示が維持される。
【００４１】
そして、定常処理で、ＳＴＥＰ５〜８の定常処理が繰り返される。この場合、ＳＴＥＰ６に進んで表示処理が指示されるまでは、前回のＳＴＥＰ６で表示された、フレームメモリ２２に記憶された画面の表示が維持される（図４（ｄ））。なお、ＳＴＥＰ６に進み、新たな画面が表示ユニット１４に通知されて表示処理が指示されると、フレームメモリ２２に記憶された画面が更新され、新たな画面が表示される。
【００４２】
以上が、携帯電話機１の動作である。本実施形態によれば、不具合の復旧等のために再起動する状態となった場合、使用者に意識させずに自動で再起動を実行することができる。
【００４３】
なお、他の実施形態として、中央処理部１１は、再起動処理後、所定時間、操作が発生しない場合や、所定時間、操作が発生せずに省電力モード等に移行してパネル３の電源がＯＦＦされた場合等に、電源ＯＮ時に起動処理から定常状態に移行した場合にパネル３に表示される画面と同じ画面（例えば、待受画面）をパネル３に表示させる表示処理を、表示ユニット１４に指示するものとしてもよい。これにより、中央処理部１１は、再起動処理後、使用者に不快感・不安感を与えないと想定されるタイミングで、通常の起動時に定常状態に移行した場合と同じ表示とすることができる。
【００４４】
また、他の実施形態として、非表示制御系のみの再起動処理を実行する場合と、電源オン時の起動処理と同様の表示制御系も含めた再起動処理を実行する場合とを、検出部３１の検出結果に応じて切り換えるものとしてもよい。例えば、検出部３１は、再起動の履歴等に基づいて（例えば、再起動が所定頻度以上、実行されている等）、表示ユニット１４に不具合の原因がある可能性が高いと想定される場合には、表示制御系も含めた再起動処理に切り換える。
【００４５】
また、本実施形態では、電子機器として携帯電話機を用いたが、ＰＤＡ（Personal Digital Assistants）等の他の携帯端末装置、さらに他の電子機器にも適用可能である。
【符号の説明】
【００４６】
１…携帯電話機、３…パネル、４…キーパッド、６…マイク、８…スピーカ、９…カメラ、１０…アンテナ、１１…中央処理部、１２…メモリ、１３…電源、１４…表示ユニット、１４…無線ユニット、１６…操作ユニット、１７…音響ユニット、１８…画像入力ユニット、２２…フレームメモリ、３１…検出部。                                                             
【図１】
2011039438.tif 000003
【図２】
2011039438.tif 000004
【図３】
2011039438.tif 000005
【図４】
2011039438.tif 000006